(57)【特許請求の範囲】
【請求項１】
搬送路を搬送されてきたフィルムをループ状にして収納するフィルムストッカであって、前記搬送路の下流側端部に対向する位置に搬入口を有し、該搬送路と交差する方向に配設されたフィルム搬入部と、このフィルム搬入部に続けて一体に形成された長尺状のフィルム収納部とからなり、前記フィルム搬入部は、前記搬入口に対向する側壁であって、前記搬送路を搬送されてきたフィルムの先端を前記フィルム収納部内方向に導くガイド部と、このガイド部の下流側に形成され、該ガイド部に沿って搬入されるフィルムの先端を係止する係止部と、前記ガイド部の上流側に突出形成され、前記係止部に先端が係止された状態で引き続き搬入されるフィルムが当接することにより該フィルムを屈曲させて前記フィルム収納部内に導くフィルム腰折用突起とを備えたことを特徴とするフィルムストッカ。
【請求項２】
前記搬送路は水平方向に配設されたものであって、前記フィルム搬入部と前記フィルム収納部とは前記搬送路の端部から下方に伸びるように配設され、前記フィルム腰折用突起は前記フィルム搬入部の搬入口上部に形成されたことを特徴とする請求項１記載のフィルムストッカ。
【請求項３】
フィルム画像を読み取って印画紙に対する焼付条件を求めると共に、この焼付条件に基づいてフィルム画像を印画紙に焼き付ける写真焼付装置であって、フィルムを搬送路に沿って搬送させる搬送手段と、前記搬送路におけるフィルムの搬送途中で投影されたフィルム画像を前記焼付条件を求めるために読み取る画像読取部と、前記搬送路の下流側端部に配設された請求項１又は２記載のフィルムストッカとを備えたことを特徴とする写真焼付装置。
【発明の詳細な説明】
【０００１】
【発明の属する技術分野】
本発明は、搬送路を搬送されてきたフィルムが一時的に収納されるフィルムストッカ及びこのフィルムストッカを備えた写真焼付装置に関する。
【０００２】
【従来の技術】
近年、フィルム画像を画像読取部で読み取って印画紙に対する焼付条件を求め、その求めた焼付条件に基づきフィルム画像を印画紙に焼き付けるようにした写真焼付装置が普及している。このような写真焼付装置では、フィルムの搬送途中で画像読取部によりフィルム画像が１コマ毎に読み取られて各コマ毎の印画紙に対する焼付条件が求められ、読み取りの終了したフィルムは順に下流側に搬送されてフィルムストッカに収納される。そして、全コマの読み取りが終了すると、フィルムはフィルムストッカから引き出されて上流側に引き戻され、再度下流側に搬送されるときに求めた焼付条件に基づき印画紙への焼付け処理が行われる。
【０００３】
【発明が解決しようとする課題】
ところで、上記写真焼付装置に備わっているフィルムストッカは、フィルムをループ状にして収納するようになっている。これは、フィルム長さが、例えば長いものでは１．５ｍを超えるものがあるため、フィルムを垂れた状態で収納したのではフィルムストッカが長尺化し、それに伴い写真焼付装置が大型化するためである。そのため、上記フィルムストッカでは、先端がフィルムストッカ内部に係止された状態でフィルムが順に送り込まれることによりフィルムが屈曲されてループ状になるようになっている。
【０００４】
ところが、フィルムの腰が強い場合には、フィルムの先端が係止された状態で送り込まれても適正に屈曲されない場合が生じ、こうしたときは送り込まれたフィルムがフィルムストッカ内部に搬入されず、送り込まれたフィルムが搬入口から外部に溢れ出て折れ曲がったり、搬送ローラがスリップして搬送が不能になったりする。
【０００５】
従って、本発明は、フィルムを確実にループ状にして収納することが可能なフィルムストッカ及びこのフィルムストッカを備えた写真焼付装置を提供することを目的とする。
【０００６】
【課題を解決するための手段】
上記の目的を達成するため、請求項１に係るフィルムストッカは、搬送路を搬送されてきたフィルムをループ状にして収納するものであって、前記搬送路の下流側端部に対向する位置に搬入口を有し、該搬送路と交差する方向に配設されたフィルム搬入部と、このフィルム搬入部に続けて一体に形成された長尺状のフィルム収納部とからなり、前記フィルム搬入部は、前記搬入口に対向する側壁であって、前記搬送路を搬送されてきたフィルムの先端を前記フィルム収納部内方向に導くガイド部と、このガイド部の下流側に形成され、該ガイド部に沿って搬入されるフィルムの先端を係止する係止部と、前記ガイド部の上流側に突出形成され、前記係止部に先端が係止された状態で引き続き搬入されるフィルムが当接することにより該フィルムを屈曲させて前記フィルム収納部内に導くフィルム腰折用突起とを備えたことを特徴としている。
【０００７】
この構成によれば、搬送路を搬送されてきたフィルムの先端が搬入口からフィルム搬入部内に入り込み、ガイド部によりフィルム収納部内方向に導かれて係止部に係止される。この状態で、フィルムが引き続き搬入されると、フィルムがフィルム腰折用突起に当接することにより屈曲されてフィルム収納部内に導かれる。これにより、フィルムはループ状に屈曲された状態でフィルム収納部内に収納される。
【０００８】
また、請求項２に係るフィルムストッカは、請求項１に係るものにおいて、前記搬送路が水平方向に配設されたものであって、前記フィルム搬入部と前記フィルム収納部とが前記搬送路の端部から下方に伸びるように配設され、前記フィルム腰折用突起が前記フィルム搬入部の搬入口上部に形成されたことを特徴としている。
【０００９】
この構成によれば、フィルムの先端が係止部に係止された状態で、フィルムが引き続き搬入されてくると、フィルムはフィルム腰折用突起に当接することによって下方に屈曲され、下方に伸びるフィルム収納部内に導かれる。
【００１０】
また、請求項３に係る写真焼付装置は、フィルム画像を読み取って印画紙に対する焼付条件を求めると共に、この焼付条件に基づいてフィルム画像を印画紙に焼き付けるものであって、フィルムを搬送路に沿って搬送させる搬送手段と、前記搬送路におけるフィルムの搬送途中で投影されたフィルム画像を前記焼付条件を求めるために読み取る画像読取部と、前記搬送路の下流側端部に配設された請求項１又は２記載のフィルムストッカとを備えたことを特徴としている。
【００１１】
この構成によれば、フィルムの搬送途中で投影されたフィルム画像が画像読取部によりコマ毎に読み取られて印画紙に対する焼付条件が求められ、読み取られたフィルムは搬送手段により下流側に搬送されてフィルムストッカに一時的に収納される。全コマの画像が読み取られたフィルムはフィルムストッカから引き出されて上流側に引き戻される。
【００１２】
【発明の実施の形態】
図１は、本発明の一実施形態に係るフィルムストッカを備えた写真焼付装置の外観構成を示す図、図２は、図１に示す写真焼付装置の内部構成を示す図である。なお、これらの図には各構成要素間の方向関係を明確にするためのＸＹＺ直角座標系が示されている。
【００１３】
これらの図において、写真焼付装置は、左右方向に配設されたフィルム搬送路１０と、フィルム搬送路１０の右方（＋Ｘ方向）に配設されたオートネガマスク１２と、オートネガマスク１２の右方（＋Ｘ方向）に配設されたフィルム装填部１４と、オートネガマスク１２の下方に配設された反射ミラー１６と、反射ミラー１６の右方（＋Ｘ方向）に配設された撮像部１８と、フィルム搬送路１０の左方（−Ｘ方向）に配設されたフィルムストッカ２０と、オートネガマスク１２の上方に配設された光源部２２と、フィルム搬送路１０の下方（−Ｚ方向）で、かつ、フィルムストッカ２０の右方（＋Ｘ方向）に配設された焼付処理部２４と、焼付処理部２４の右方（＋Ｘ方向）に配設された現像処理部２６と、現像処理部２６の上方（＋Ｚ方向）に配設された印画紙排出部２８とを備えている。
【００１４】
なお、撮像部１８と光源部２２とで投影されたフィルム画像を読み取る画像読取部が構成される。また、光源部２２の左方（−Ｘ方向）には装置の稼働中に種々の情報を表示するモニタ３０が配設され、モニタ３０の前方（＋Ｙ方向）には稼動条件等を設定するキーボード等の操作盤３２が配設されている。
【００１５】
フィルム搬送路１０はフィルム装填部１４内のフィルムＦをフィルムストッカ２０に送り込むためのものである。また、オートネガマスク１２は、内部に有する搬送ローラ対１２１によりフィルム装填部１４内に装填されたフィルムＦを１コマ毎に光源部２２と対向する位置に引き出すと共に、フィルム搬送路１０を介して順にフィルムストッカ２０側に搬送するものである。なお、オートネガマスク１２は、フィルム搬送路１０の一部を構成する。
【００１６】
フィルム装填部１４は、フィルムＦの巻装されたカートリッジが取り付けられるようなっており、引出口１４１から引き出されたフィルムＦの先端がオートネガマスク１２に装着されるようになっている。また、反射ミラー１６は、オートネガマスク１２の位置にあるコマの投影画像を撮像部１８に導くためのもので、撮像部１８が作動するときには実線で示す位置に移動しているが、光源部２２による投影画像を印画紙に焼き付けるときには鎖線で示す位置に移動するようになっている。
【００１７】
撮像部１８は、光学レンズ１８１、ＣＣＤ等の撮像素子１８２等で構成され、反射ミラー１６で反射された光源部２２による投影画像が光学レンズ１８１を介して撮像素子１８２に導かれるようになっている。なお、この撮像部１８で読み取られた画像データに基づいて図略のデータ処理部で印画紙に対する焼付条件が求められ、その求められた焼付条件がＲＡＭ等の記憶部にコマ毎に記憶されるようになっている。
【００１８】
フィルムストッカ２０は、水平方向に配設されたフィルム搬送路１０の左方（−Ｘ方向）である下流側端部に配設されており、フィルム搬送路１０の下流側端部と対向する位置に搬入口２０１を有し、フィルム搬送路１０と直交する方向に配設されたフィルム搬入部２０２と、このフィルム搬入部２０２に続けて下方に伸びるように一体に形成された長尺状のフィルム収納部２０３とで構成されている。
【００１９】
フィルム搬入部２０２は、搬入口２０１に対向する位置（−Ｘ方向）にある側壁であって、搬入口２０１から搬入されるフィルムＦの先端をフィルム収納部２０３内方向に導くガイド部２０４と、このガイド部２０４の下流側に形成され、このガイド部２０４に沿って搬入されるフィルムＦの先端を係止する係止部２０５と、ガイド部２０４の上流側に突出して形成され、係止部２０５に先端が係止された状態で引き続き搬入されるフィルムＦが当接することによりフィルムＦを屈曲させてフィルム収納部２０３内に導くフィルム腰折用突起２０６とを備えている。
【００２０】
フィルム収納部２０３は、フィルムＦの収納空間を形成するものであり、略Ｕ字形状であるループ状に屈曲された状態でフィルムＦを収納するものである。なお、フィルム収納部２０３の下部には開閉自在の窓部２０３ａが形成されており、フィルムＦがフィルム収納部２０３の底部に落下した場合に窓部２０３ａから取り出すことができるようになっている。
【００２１】
ガイド部２０４は、上記のようにフィルム搬入部２０２を構成する側壁２０２ａを兼ねており、図中左斜めに下り勾配となるように直線状に傾斜して形成されたものである。これにより、フィルム搬送路１０を搬送されてきたフィルムＦの先端が搬入口２０１から搬入されると、図３（ａ）に示すように、その先端がガイド部２０４に当接することによってガイド部２０４に沿って図中左斜め下方に移動し、係止部２０５に導かれることになる。
【００２２】
係止部２０５は、フィルム収納部２０３を構成する左方（−Ｘ方向）の側壁２０３ｂの一部及びフィルム搬入部２０２の側壁２０２ａの一部と、これらの側壁の右方（＋Ｘ方向）に形成された鈎状の爪体２０５ａとでフィルムＦの先端をニップするようにしたものである。
【００２３】
フィルム腰折用突起２０６は、フィルムＦの上面に当接してフィルムＦの腰を折り曲げることにより、搬入されてくるフィルムＦを下方に屈曲させてフィルム収納部２０３内に導くためのものである。すなわち、フィルムＦは、その先端が係止部２０５に係止された後は、図３（ｂ）に示すように、ガイド部２０４に沿って搬入されることになる結果、上面がフィルム腰折用突起２０６に当接する。この状態でさらにフィルムＦが搬入されてくると、フィルムＦの弾力によってフィルムＦが点線で示すように下方向に屈曲されることになる。すると、その後に搬入されてきたフィルムＦは、図３（ｃ）に示すように、略Ｕ字状に屈曲された状態でフィルム収納部２０３内に収納される。なお、フィルム腰折用突起２０６が存在しない場合、フィルムＦの腰が強いと、例えば図４に示すように、フィルムＦの先端が係止部２０５に係止された後は、フィルム収納部２０３内に収納されずに搬入口２０１から外部に溢れ出た状態になる。
【００２４】
光源部２２は、ハロゲンランプ等から構成され、投影されたフィルム画像を撮像部１８で読み取るときと、印画紙にフィルム画像を焼き付けるときに点灯される。
【００２５】
焼付処理部２４は、フィルム画像を印画紙に焼付処理する領域であり、印画紙Ｐの巻装されたマガジンＭＧを載置するマガジン載置部２４１と、印画紙Ｐ上にフィルム画像を焼き付ける焼付部２４２と、マガジン載置部２４１に搭載されたマガジンＭＧから引き出された印画紙Ｐを焼付部２４２に搬送する第１の印画紙搬送路２４３と、焼付部２４２の手前側に配設されたカッタ部２４４と、焼付部２４２で焼付処理された印画紙Ｐを現像処理部２６へ搬送する第２の印画紙搬送路２４５とを備えている。
【００２６】
焼付部２４２は、駆動ローラ２４２ａと、従動ローラ２４２ｂと、これらのローラ２４２ａ，２４２ｂに架け渡された搬送ベルト２４２ｃと、搬送ベルト２４２ｃに所定の張力を与えるテンションローラ２４２ｄとを備えており、搬送ベルト２４２ｃの印画紙搬送面が光源部２２の光軸と直交するように水平に配設されている。
【００２７】
第１の印画紙搬送路２４３は搬送ローラ対２４３ａを備え、第２の印画紙搬送路２４５は搬送ローラ対２４５ａを備えている。また、カッタ部２４４は、印画紙Ｐの上下両側に一対のカッタ刃を備えており、一方のカッタ刃が上下動されるようになっている。そして、第１の印画紙搬送路２４３により搬送されてきた長尺状の印画紙Ｐを予め設定された所定長さに切断する。切断された印画紙Ｐは、焼付部２４２の搬送ベルト２４２ｃ上に載置されて焼付部２４２の中央位置に搬送される。
【００２８】
現像処理部２６は、画像の焼付け処理された印画紙Ｐを現像処理する処理液の充填された複数の処理タンク２６１と、処理タンク２６１内において印画紙Ｐを搬送する搬送手段２６２と、処理タンク２６１から排出された印画紙Ｐを乾燥処理する乾燥室２６３とを備えている。乾燥室２６３は、温風を発生させるヒータとファンとからなる温風発生器２６３ａを備えている。また、印画紙排出部２８は、現像処理部２６で現像処理され、乾燥処理された印画紙Ｐを上下方向に配列された図略のトレイに順に排出する。
【００２９】
上記のように構成された写真焼付装置は、所定の演算処理を行うＣＰＵ、所定のプログラムの記憶されているＲＯＭ、データが一時的に記憶されるＲＡＭ等から構成された制御部により制御されて次のように動作する。
【００３０】
まず、スタートスイッチがＯＮされると、オートネガマスク１２の搬送ローラ対１２１によりフィルム装填部１４に装着したフィルムＦが１コマづつ光源部２２に対向する位置まで順に搬送され、光源部２２により投影された各フィルム画像が撮像部１８により順に読み取られる。これにより、各コマ毎の焼付条件が設定される。読み取りの終了したフィルムＦはフィルムストッカ２０の配設されている下流側に順に搬送され、フィルムストッカ２０内においてループ状に屈曲された状態で収納される。
【００３１】
そして、すべてのフィルム画像の読み取りが終了すると、フィルムストッカ２０内のフィルムＦは、フィルムストッカ２０から引き出されて上流側に引き戻され、下流側の先頭のコマが光源部２２に対向する位置にくるまでフィルム装填部１４に巻き取られる。なお、すべてのフィルム画像の読み取りが終了すると、実線で示す位置にあった反射ミラー１６が鎖線で示す位置に移動する。
【００３２】
続いて、印画紙Ｐへの焼付処理が指令されると、再びフィルム装填部１４からフィルムＦが引き出されて１コマづつ光源部２２に対向する位置まで順に搬送される。一方、上記フィルムＦの搬送と同期して印画紙Ｐが焼付部２４２に順に搬送される。すなわち、マガジン載置台２４１に装着されているマガジンＭＧから印画紙Ｐが順次引き出されて第１の印画紙搬送路２４３により下流側に搬送され、カッタ部２４４により順次所定サイズに切断される。この切断された印画紙Ｐが順に搬送ベルト２４２ｃ上に送り込まれ、光源部２２に対向する中央位置に搬送される。このとき、光源部２２により投影されたフィルム画像が、予め撮像部１８で読み取られた画像データに基づきコマ毎に設定されている焼付条件に基づいて印画紙Ｐ上に焼き付けられる。焼付処理の終了した印画紙Ｐは、第２の印画紙搬送路２４５に送り込まれ、現像処理部２６に搬送されて現像処理され、印画紙排出部２８に排出される。
【００３３】
なお、この焼付処理時においても、フィルム装填部１４から引き出されたフィルムＦは、オートネガマスク１２の搬送ローラ対１２１により下流側に搬送されてフィルムストッカ２０内にループ状に屈曲された状態で収納される。焼付処理が終了すると、フィルムＦは再びフィルムストッカ２０から引き出されてフィルム装填部１４に巻き戻されることになる。
【００３４】
上記のように構成された写真焼付装置に適用された本発明に係るフィルムストッカ２０は、フィルム搬送路１０の下流側端部に対向する位置に搬入口２０１を有し、フィルム搬送路１０と交差する方向に配設されたフィルム搬入部２０２と、このフィルム搬入部２０２に続けて一体に形成された長尺状のフィルム収納部２０３とからなり、フィルム搬入部２０２は、搬入口２０１に対向する側壁であって、フィルム搬送路１０を搬送されてきたフィルムＦの先端をフィルム収納部２０３内方向に導くガイド部２０４と、このガイド部２０４の下流側に形成され、ガイド部２０４に沿って搬入されるフィルムＦの先端を係止する係止部２０５と、ガイド部２０４の上流側に突出形成され、係止部２０５に先端が係止された状態で引き続き搬入されるフィルムＦが当接することによりフィルムＦを屈曲させてフィルム収納部２０３内に導くフィルム腰折用突起２０６とを備えているので、フィルムＦを確実にフィルム収納部２０３内でループ状にして収納することが可能となる。また、上記のように構成された本発明に係るフィルムストッカ２０の適用された写真焼付装置は、フィルムＦを確実にフィルム収納部２０３内でループ状にして収納することができるので、フィルムストッカ２０が必要以上に長尺化されないことにより小型化が促進される。
【００３５】
なお、上記実施形態では、フィルムストッカ２０のガイド部２０４は、直線状に傾斜されたものであるが、図５（ａ）に示すように、上方に凸状となる湾曲状に形成することも可能である。また、図５（ｂ）に示すように、ガイド部２０４を湾曲状にした上で、その湾曲部を搬入口２０１にまで延長することにより、フィルム腰折用突起２０６をガイド部２０４と一体的に形成するようにしてもよい。また、図５（ｃ）に示すように、ガイド部２０４を図２に示す実施形態と同様に直線状に形成し、そのガイド部２０４を搬入口２０１にまで延設することにより、フィルム腰折用突起２０６をガイド部２０４と一体的に形成することも可能である。また、ガイド部２０４は、フィルム搬入部２０２を形成する側壁２０２ａを兼ねたものであるが、側壁２０２ａの下方に独立した部材を配設して形成するようにしてもよい。このように、ガイド部２０４を独立した部材で形成した場合でもその部材を含めて側壁２０２ａと呼ぶ。
【００３６】
また、上記実施形態では、フィルムストッカ２０の適用された写真焼付装置は光源部２２により投影されたフィルム画像を印画紙に焼き付けるようにしたものであるが、撮像部１８で読み取った画像データを用いてＦＯＣＲＴ（Fiber Optic Cathode-Ray-Tube）等で焼付けるようにすることも可能である。
【００３７】
また、上記実施形態では、フィルムストッカ２０は写真焼付装置に適用されているが、フィルム検定装置（ノッチャーパンチャー）等の他の装置に適用することも可能である。
【００３８】
【発明の効果】
以上のように、本発明のフィルムストッカは、搬送路の下流側端部に対向する位置に搬入口を有し、該搬送路と交差する方向に配設されたフィルム搬入部と、このフィルム搬入部に続けて一体に形成された長尺状のフィルム収納部とからなり、前記フィルム搬入部は、前記搬入口に対向する側壁であって、前記搬送路を搬送されてきたフィルムの先端を前記フィルム収納部内方向に導くガイド部と、このガイド部の下流側に形成され、該ガイド部に沿って搬入されるフィルムの先端を係止する係止部と、前記ガイド部の上流側に突出形成され、前記係止部に先端が係止された状態で引き続き搬入されるフィルムが当接することにより該フィルムを屈曲させて前記フィルム収納部内に導くフィルム腰折用突起とを備えているので、フィルムを確実にループ状にしてフィルム収納部内に収納することができる。
【００３９】
また、本発明の写真焼付装置は、フィルムを搬送路に沿って搬送させる搬送手段と、前記搬送路におけるフィルムの搬送途中でフィルム画像を前記焼付条件を求めるために読み取る画像読取部と、前記搬送路の下流側端部に配設された請求項１又は２記載のフィルムストッカとを備えているので、フィルムを確実にループ状にしてフィルムストッカ内に収納することができると共に、装置の小型化を促進することができる。
【図面の簡単な説明】
【図１】本発明の実施形態に係るフィルムストッカが適用された写真焼付装置の外観構成を示す図である。
【図２】図１に示す写真焼付装置の内部構成を示す図である。
【図３】図１に示す写真焼付装置に適用されているフィルムストッカのフィルム腰折用突起の機能を説明するための図で、（ａ）はフィルムの先端が係止部に係止された状態を示す図、（ｂ）はフィルムの先端が係止部に係止された後にさらにフィルムが送り込まれた状態を示す図、（ｃ）はフィルムがループ状に収納された状態を示す図である。
【図４】フィルムストッカにフィルム腰折用突起を備えていないときのフィルムの搬入状態を説明するための図である。
【図５】本発明のフィルムストッカの変形例を示す図で、（ａ）はガイド部を湾曲状に形成したもの、（ｂ）はガイド部を湾曲状に形成し、その湾曲部を搬入口まで延長することによりフィルム腰折用突起をガイド部と一体的に形成したもの、（ｃ）はガイド部を直線状に形成し、そのガイド部を搬入口まで延設することによりフィルム腰折用突起をガイド部と一体的に形成したものである。
【符号の説明】
１０  フィルム搬送路（搬送路）
１２  オートネガマスク
１４  フィルム装填部
１６  反射ミラー
１８  撮像部
２０  フィルムストッカ
２２  光源部
２４  焼付処理部
２６  現像処理部
２８  印画紙排出部
３０  モニタ
３２  操作盤
２０１  搬入口
２０２  フィルム搬入部
２０３  フィルム収納部
２０４  係止部
２０５  ガイド部
２０６  フィルム腰折用突起
【図１】
0003543133.tif 000002
【図２】
0003543133.tif 000003
【図３】
0003543133.tif 000004
【図４】
0003543133.tif 000005
【図５】
0003543133.tif 000006